(57)【要約】【課題】ユーザーが特別な設定変更操作などを行うことなく、操作部での操作を無効又は有効に設定可能な画像表示装置を提供する。【解決手段】それぞれ異なる種類の画像データに対応する複数の入力端子４１１，４２１，４３１と、複数の入力端子４１１，４２１，４３１のうち、選択された入力端子に入力されている画像データに対応する画像を表示するための画像データ処理を行う画像データ処理部１０５と、操作部での操作に対応する操作情報を出力する操作情報出力部１１３と、選択された入力端子が特定入力端子で、かつ、当該特定入力端子に画像データが入力されている場合には前記操作を無効とする制御部１１６とを備える。【選択図】図１
2012080325.tif 000002
【特許請求の範囲】
【請求項１】
それぞれ異なる種類の画像データに対応する複数の入力端子と、
前記複数の入力端子のうち、選択された入力端子に入力されている画像データに対応する画像を表示するための画像データ処理を行う画像データ処理部と、
操作部での操作に対応する操作情報を出力する操作情報出力部と、
前記選択された入力端子が特定入力端子で、かつ、当該特定入力端子に画像データが入力されている場合には前記操作を無効とする制御部と、
を備えることを特徴とする画像表示装置。
【請求項２】
請求項１に記載の画像表示装置において、
前記制御部は、
前記特定入力端子から画像データが入力されていない場合には、前記操作を有効とする機能を有することを特徴とする画像表示装置。
【請求項３】
請求項１又は２に記載の画像表示装置において、
前記特定入力端子から画像データが入力されている状態となっているか否かは、前記画像データ処理部で前記画像データが検出されているか否かによって判定することを特徴とする画像表示装置。
【請求項４】
それぞれ異なる種類の画像データに対応する複数の入力端子と、前記複数の入力端子のうち、選択された入力端子に入力されている画像データに対応する画像を表示するための画像データ処理を行う画像データ処理部と、操作部での操作に対応する操作情報を出力する操作情報出力部と、前記操作情報に基づいた制御を行う制御部とを備える画像表示装置の制御方法であって、
前記選択された入力端子が特定入力端子で、かつ、当該特定入力端子に画像データが入力されている場合には前記操作を無効とすることを特徴とする画像表示装置の制御方法。
【発明の詳細な説明】
【技術分野】
【０００１】
本発明は、画像表示装置及び画像表示装置の制御方法に関する。
【背景技術】
【０００２】
展示会などにおいてデモンストレーション用の画像を画像表示装置（以下では、プロジェクターを例に挙げて説明する）を用いて表示する場合には、画像の表示中にプロジェクターの設定変更がなされないようにすることが好ましい。プロジェクターの設定変更がなされないようにするためには、プロジェクターの付属品として備えられているリモートコントローラー（以下では、「リモコン」とも称する）上での操作及びプロジェクター本体に設けられている操作パネル上での操作が無効となるように設定しておくことが好ましい。リモコン上での操作及び操作パネル上での操作を無効に設定することができる機能を有するプロジェクターは種々提案されている（例えば、特許文献１参照）。
【０００３】
特許文献１に記載されているプロジェクターは、プロジェクターの起動時などにおいて、実行すべき機能ごとに設定されたパスワードを入力することにより、当該パスワードに対応した操作権限に応じた機能が実行可能となるものである。これによれば、入力されたパスワードが適正である場合には、当該操作権限に応じた機能の実行が可能となるため、プロジェクターが不必要に使用されしまうことを未然に防止することができる。
【０００４】
したがって、特許文献１に記載されたプロジェクターを上記した展示会などにおいて使用する場合、適正なパスワードが入力されない限り、リモコン上での操作及び操作パネル上での操作は無効となり、画像の表示中に不必要にリモコン上での操作及び操作パネル上での操作がなされてしまうことを防止することができる。
【０００５】
なお、リモコン上での操作及び操作パネル上での操作をそれぞれ個別に説明する場合を除いては、リモコン上での操作及び操作パネル上での操作をそれぞれ「操作部での操作」又は単に「操作」というように表記する場合もある。また、画像の表示中に操作されたくない画像を「特定画像」と呼ぶ場合もある。
【先行技術文献】
【特許文献】
【０００６】
【特許文献１】特開２００６−２３５０００号公報
【発明の概要】
【発明が解決しようとする課題】
【０００７】
特許文献１に記載されているプロジェクターは、所定の機能を実行可能とするためには、実行すべき機能に対応したパスワードをユーザーがその都度入力する必要があり、このような操作をその都度行うことは面倒である。例えば、特定画像の表示中には操作を無効とするというような設定を行う場合にも、特許文献１に記載されたプロジェクターにおいては、ユーザーがその都度パスワードを入力することによって、特定画像の表示中には操作部での操作を無効とするための設定を行う必要がある。
【０００８】
そこで本発明は、特定画像の表示中には、ユーザーが特別な設定変更操作を行うことなく操作部での操作を無効とすることができる画像表示装置及び画像表示装置の制御方法を提供することを目的とする。
【課題を解決するための手段】
【０００９】
本発明の画像表示装置は、それぞれ異なる種類の画像データに対応する複数の入力端子と、前記複数の入力端子のうち、選択された入力端子に入力されている画像データに対応する画像を表示するための画像データ処理を行う画像データ処理部と、操作部での操作に対応する操作情報を出力する操作情報出力部と、前記選択された入力端子が特定入力端子で、かつ、当該特定入力端子に画像データが入力されている場合には前記操作を無効とする制御部とを備えることを特徴とする。
【００１０】
本発明の画像表示装置によれば、特定入力端子に画像データが入力されている場合には、ユーザーが特別な設定変更操作を行うことなく操作を無効とすることができる。したがって、特定画像の表示を行おうとする場合には、当該特定画像を特定入力端子に入力するように設定しておくことにより、ユーザーが特別な設定変更操作を行うことなく、特定画像の表示中には操作を無効とすることができる。
【００１１】
本発明の画像表示装置においては、前記制御部は、前記特定入力端子から画像データが入力されていない場合には、前記操作を有効とする機能を有することが好ましい。
【００１２】
これは、特定入力端子が選択されていても、当該特定入力端子から画像データが入力されていない場合もあるためであり、このような場合は、必ずしも操作を無効とする必要性はなく、操作を有効とすることが好ましい。このようにすることによって、当該特定入力端子から画像データが入力されていない場合には、操作部での操作が可能となるため、利便性を確保することができる。
【００１３】
本発明の画像表示装置においては、前記特定入力端子から画像データが入力されている状態となっているか否かは、前記画像データ処理部で前記画像データが検出されているか否かによって判定することが好ましい。
【００１４】
これによって、特定入力端子から画像データが入力されているか否かを適切に判定することができる。すなわち、画像データ処理部で画像データが検出されているということは、当該画像データが実際に画像データ処理されて表示可能な状態となっているということであり、このような状態においては、操作を無効とすることが好ましい。
【００１５】
本発明の画像表示装置の制御方法は、それぞれ異なる種類の画像データに対応する複数の入力端子と、前記複数の入力端子のうち、選択された入力端子に入力されている画像データに対応する画像を表示するための画像データ処理を行う画像データ処理部と、操作部での操作に対応する操作情報を出力する操作情報出力部と、前記操作情報に基づいた制御を行う制御部とを備える画像表示装置の制御方法であって、前記選択された入力端子が特定入力端子で、かつ、当該特定入力端子に画像データが入力されている場合には前記操作を無効とすることを特徴とする。
【００１６】
このような処理を行うことによって、前記本発明の画像表示装置と同様の効果を得ることができる。なお、本発明の画像表示装置の制御方法においても、前記本発明の画像表示装置が有する各特徴を有することが好ましい。
【図面の簡単な説明】
【００１７】
【図１】実施形態に係るプロジェクター１００の構成を示す図。
【図２】図１に示す画像投写部１０１の構成を示す図。
【図３】制御部１１６が有する操作無効・有効設定機能による操作無効・有効設定処理を説明するフローチャート。
【発明を実施するための形態】
【００１８】
以下、本発明の実施形態について説明する。なお、以下に説明する実施形態においては、画像表示装置はプロジェクターであるとして説明する。
【００１９】
図１は、実施形態に係るプロジェクター１００の構成を示す図である。実施形態に係るプロジェクター１００は、図１に示すように、画像投写部１０１と、商用電源に接続されてプロジェクター１００を動作させるための電力を各部に供給する電源部１０３と、複数種類（３種類とする）の外部接続機器４１０，４２０，４３０を各外部接続機器ごとに接続可能とする複数（３個とする）の入力端子４１１，４２１，４３１と、入力端子４１１，４２１，４３１のうちユーザーによって指定された入力端子を選択する入力端子選択部１０４と、入力端子選択部１０４によって選択された入力端子から入力された画像データ（音声データを含む）を処理する画像データ処理部１０５と、画像データ処理部１０５によって処理された画像データを画像投写部１０１に出力する画像データ出力部１０６と、画像データ処理部１０５によって処理された音声データを音声出力部（スピーカー）１０８に出力する音声データ出力部１０７と、リモコン１１０上での操作に対応するリモコン制御信号を受信するリモコン制御信号受信部１１２と、リモコン１１０上での操作又はプロジェクター１００本体に設けられている操作パネル１１１上での操作の内容を示す操作情報を出力する操作情報出力部１１３と、後述する種々の制御を行う制御部１１６とを有している。なお、リモコン１１０及び操作パネル１１１が本発明における操作部に相当する。
【００２０】
外部接続機器４１０，４２０，４３０は、プロジェクター１００で表示すべき画像に対応する画像データをプロジェクター１００に出力するもので、例えば、パーソナルコンピューター（以下では、「ＰＣ」とも称する）、ビデオ機器、テレビジョン信号受信機などを例示することができる。
【００２１】
また、制御部１１６は、プロジェクター１００電源のオン・オフやプロジェクター１００の入力切り替えなど種々の制御を行う機能と、操作情報出力部１１３から出力される操作情報に基づいて各種の制御を行う機能と、選択された入力端子が特定入力端子である場合に、操作を無効又は有効に設定する操作無効・有効設定機能とを有している。
【００２２】
なお、上記した「特定入力端子」というのは、画像の表示中にプロジェクターの設定などが変更されたくない画像（特定画像）に対応する画像データを入力させるための入力端子である。また、複数の入力端子のうちのどの入力端子を特定入力端子とするかは、予め決めておいてもよく、ユーザーが任意に設定可能とするようにしてもよい。実施形態に係るプロジェクター１００においては、入力端子４１１が特定入力端子として設定されるものとする。
【００２３】
図２は、図１に示す画像投写部１０１の構成を示す図である。画像投写部１０１は、図２に示すように、赤色光、緑色光及び青色光を含む光を射出する光源５１０と、レンズアレイ５２０と、重畳レンズ５３０と、画像形成部５４０と、投写レンズ５５０とを備える。
【００２４】
画像形成部５４０は、光源５１０から射出された光を赤色光（Ｒ）と緑色光（Ｇ）及び青色光（Ｂ）とに分離する第１ダイクロイックミラー５４１と、第１ダイクロイックミラー５４１で分離された緑色光及び青色光を緑色光と青色光とに分離する第２ダイクロイックミラー５４２と、図１に示す画像データ出力部１０６から出力される画像データに基づいて赤色光、緑色光及び青色光の各色光を変調する赤色光用の光変調素子５４３Ｒ、緑色光用の光変調素子５４３Ｇ及び青色光用の光変調素子５４３Ｂと、第１ダイクロイックミラー５４１を透過した赤色光を光変調素子５４３Ｒに導く反射ミラー５４４と、第２ダイクロイックミラー５４２を透過した青色光を光変調素子５４３Ｂに導く第１リレーレンズ５４５、第１反射ミラー５４６、第２リレーレンズ５４７及び第２反射ミラー５４８と、光変調素子５４３Ｒ，５４３Ｇ，５４３Ｂでそれぞれ変調された各色光による画像光を合成してカラー画像光を形成するクロスダイクロイックプリズム５４９とを有する。
【００２５】
投写レンズ５５０は、クロスダイクロイックプリズム５４９で合成されたカラー画像光を拡大してスクリーンＳＣＲに投写する。
【００２６】
次に、実施形態に係るプロジェクター１００の動作を説明する。
図３は、制御部１１６が有する操作無効・有効設定機能による操作無効・有効設定処理を説明するフローチャートである。図３に示す操作無効・有効設定処理は、操作有効・無効設定処理プログラムに基づいて実行されるものである。
【００２７】
プロジェクター１００の電源がオンされたのち、ランプ点灯及び投写開始がなされた状態で、操作部（リモコン１１０又は操作パネル１１１）によって操作がなされたとする。ここで、制御部１１６が当該操作に対応する操作情報を検出すると（ステップＳ１）、現時点において選択された入力端子が特定入力端子であるか否かを判定し（ステップＳ２）、選択された入力端子が特定入力端子である場合（ステップＳ２において「Ｙｅｓ」の場合）には、当該特定入力端子から画像データが入力されている状態か否かを判定する（ステップＳ３）。
【００２８】
ステップＳ３における判定の結果、特定入力端子から画像データが入力されている状態である場合（ステップＳ３において「Ｙｅｓ」の場合）には、操作を無効とする（ステップＳ４）。なお、「特定入力端子から画像データが入力されている状態」というのは、特定入力端子から入力された画像データが画像データ処理部１０５で検出されている状態であるとする。また、「操作を無効とする」というのは、操作を無効とするための特別な処理を行うものではなく、操作情報に対応する処理を実行しないものであるとする。
【００２９】
また、ステップＳ２において、選択された入力端子が特定入力端子以外の入力端子であると判定された場合（ステップＳ２において「Ｎｏ」の場合）には、操作を有効として、操作情報出力部１１３から出力される操作情報に対応する処理を実行する（ステップＳ５）。また、ステップＳ３において、特定入力端子から画像データが入力されていない場合（ステップＳ３において「Ｎｏ」の場合）にも、操作を有効として、操作情報出力部１１３から出力される操作情報に対応する処理を実行する（ステップＳ５）。このように、選択された入力端子が特定入力端子以外の入力端子である場合には、操作を有効として、操作情報出力部１１３から出力される操作情報に対応する処理を実行し、また、選択された入力端子が特定入力端子であっても、当該特定入力端子からプロジェクター１００に画像データが入力されていない場合には、操作を有効として、操作情報出力部１１３から出力される操作情報に対応する処理を実行する。
【００３０】
以上説明したような操作無効・有効設定処理を行うことにより、プロジェクター１００の複数の入力端子のうち、特定入力端子が選択され、かつ、当該特定入力端子からプロジェクターに画像データが入力されている状態においては、たとえ、操作がなされても、当該操作を無効とすることができる。
【００３１】
これにより、例えば、デモンストレーション用の画像などのような特定画像の表示を行う場合は、当該特定画像に対応する画像データを出力する外部接続機器を特定入力端子に接続して、当該画像データを画像データ処理して画像(特定画像)の表示を行うようにすれば、当該特定画像の表示中には、操作部での操作を無効とすることができる。それによって、当該特定画像の表示中に、プロジェクター１００の設定が変更されてしまうといったことを未然に防止することができる。
【００３２】
また、選択された入力端子が特定入力端子であっても、当該特定入力端子からプロジェクター１００に画像データが入力されていない場合には、操作を有効としている。これは、特定入力端子が選択されていても、当該特定入力端子から画像データが入力されていない場合もあるためである。このような場合は、必ずしも操作を無効とする必要性はなく、操作を有効としている。このようにすることによって、当該特定入力端子から画像データが入力されていない場合には、操作部での操作が可能となるため、利便性を確保することができる。
【００３３】
なお、本発明は上述の実施形態に限られるものではなく、本発明の要旨を逸脱しない範囲で種々変形実施可能となるものであり、例えば、下記（１）〜（４）に示すような変形実施も可能である。
【００３４】
（１）上記実施形態においては、画像表示装置がプロジェクターである場合を例示したが、直視型の画像表示装置であってもよい。
【００３５】
（２）上記実施形態においては、特定入力端子は、複数の入力端子（入力端子４１１，４２１、４３１）のうちの１つの入力端子（入力端子４１１）としたが、複数の入力端子のうち、２つ以上の入力端子を特定入力端子として設定することができる。図１に示すプロジェクター１００においては３つの入力端子４１１，４２１，４３１が存在するが、これら３つの入力端子４１１，４２１，４３１のうちの２つ以上の入力端子（例えば、入力端子４１１，４２１とする）をそれぞれ特定入力端子として設定することができる。このように２つの入力端子４１１，４２１を特定入力端子として設定した場合においても、図３に示すような操作無効・有効設定処理を行うことができる。
【００３６】
（３）プロジェクター１００の光源５１０（図３参照）は、キセノンランプや超高圧水銀ランプ等の放電型の光源であってもよく、また、ＬＥＤ（Light Emitting Diode）光源やレーザーなどの固体光源、又はその他の光源を用いることもできる。
【００３７】
（４）上記実施形態では、光変調素子として透過型の液晶ライトバルブ（光変調素子５４３Ｒ、５４３Ｇ、５４３Ｂ）を用いた場合を例示したが、これに代えて反射型の液晶ライトバルブ等、反射型の光変調素子を用いることも可能である。また、入射した光の射出方向を、画素としてのマイクロミラーごとに制御することにより、光源から射出した光を変調する微小ミラーアレイデバイスなどを光変調素子として用いることもできる。
【符号の説明】
【００３８】
１００・・・プロジェクター（画像表示装置）、１０４・・・入力切り替え部、１０５・・・画像データ処理部、１１０・・・リモコン、１１１・・・操作パネル、１１６・・・制御部、４１０，４２０，４３０・・・外部接続機器、４１１，４２１，４３１・・・入力端子
【図１】
2012080325.tif 000003
【図２】
2012080325.tif 000004
【図３】
2012080325.tif 000005